(57)【要約】【課題】  ピンを常時安定的に押させることができ、しかも、ピンの長さを長くする必要のないカード用コネクタを提供する。【解決手段】  循環カムを用いたイジェクト機構付きカード用コネクタであり、コネクタに対するカードの挿抜時に、カードの動きに応答して、ピンがカードの挿抜方向沿いに循環カムの溝の上を摺動するように構成されており、ピンの摺動時に、ピンの所定部付近を循環カムの溝に向かって押さえつける弾性部材が、カードの挿抜方向に沿って複数設けてある。【選択図】          図１
2007012550.tif 000002
【特許請求の範囲】
【請求項１】
循環カムを用いたイジェクト機構付きカード用コネクタにおいて、前記コネクタに対するカードの挿抜時に、前記カードの動きに応答して、ピンが前記カードの挿抜方向沿いに前記循環カムの溝の上を摺動するように構成されており、前記ピンの摺動時に、前記ピンの所定部付近を前記循環カムの溝に向かって押さえつける弾性部材が、前記カードの挿抜方向に沿って複数設けられていることを特徴とするコネクタ。
【請求項２】
前記弾性部材は、前記コネクタへ前記カードを挿入する方向に延び、その先端が自由端とされている請求項１記載のコネクタ。
【請求項３】
前記弾性部材は、前記カードの挿抜方向に沿って複数並列に形成されている請求項１又は２記載のコネクタ。
【請求項４】
前記弾性部材は、前記カードの挿抜方向に沿って並列に２つ形成されており、一方の弾性部材は、前記ピンの略真上に配置されており、他方の弾性部材は、前記一方の弾性部材に接近するように前記カードの挿抜方向と交差する方向に張り出して前記ピンの略真上に配置される張り出し部分を有する請求項３記載のコネクタ。
【請求項５】
前記他方の弾性部材の張り出し部分に、前記コネクタから前記カードを抜く方向に延び、その先端が自由端とされている、誘い込み部を設けた請求項４記載のコネクタ。
【請求項６】
前記他方の弾性部材の張り出し部分は、前記カードの挿抜方向と直交する方向において前記カムの溝の広がりをカバーするのに十分である請求項４又は５記載のコネクタ。
【請求項７】
前記弾性部材は、前記カード用コネクタの外部を覆う金属カバーの一部を加工することによって形成されている請求項１乃至６のいずれかに記載のコネクタ。
【請求項８】
前記ピンの所定部は、少なくとも、前記循環カムによって前記カードがロックされているロック位置、或いは、前記ロックが解除され前記カードを抜き出す抜出位置において、前記循環カムの溝に向かって押さえつけられる請求項１乃至７のいずれかに記載のコネクタ。
【請求項９】
前記ピンの所定部は、前記カードの挿抜方向における前記ピンの先端部である請求項１乃至８のいずれかに記載のコネクタ。
【発明の詳細な説明】
【技術分野】
【０００１】
本発明は、ハートカム等の循環カムを用いたイジェクト機構付きのカード用コネクタに関する。
【背景技術】
【０００２】
ハートカムを用いたイジェクト機構付きのカード用コネクタでは、イジェクト機構を形成するハートカムの溝上をピンの先端部が摺動する構造とされている。このタイプのコネクタでは、摺動するピンを、ハートカムの溝の上に保持し、また、その動作をコントロールするために、ピンの上部に押さえばね等の弾性部材を設けるのが一般的となっている。従来、このような押さえばねは、例えば、特開２００１−２９１５５３号に開示されているように、カードの挿抜方向に沿ったある１ヶ所にしか設けられていなかった。
【０００３】
【特許文献１】特開２００１−２９１５５３号
【発明の開示】
【発明が解決しようとする課題】
【０００４】
しかしながら、カードの移動に伴って、ピンと押さえばねとの相対位置がずれてしまうことから、上の従来構成では、ピンを安定した箇所で保持するために、ピンの移動ストローク分にわたってピンを押さえる必要があった。この結果、ピンを長くする必要があり、装置の外形寸法を小さくすることには対応できない問題も生じていた。本願発明はこのような問題点を解決するためになされたものであり、ピンを常時安定的に押させることができ、しかも、ピンの長さを長くする必要のないカード用コネクタを提供するものである。
【課題を解決するための手段】
【０００５】
本発明は、循環カムを用いたイジェクト機構付きカード用コネクタにおいて、前記コネクタに対するカードの挿抜時に、前記カードの動きに応答して、ピンが前記カードの挿抜方向沿いに前記循環カムの溝の上を摺動するように構成されており、前記ピンの摺動時に、前記ピンの所定部付近を前記循環カムの溝に向かって押さえつける弾性部材が、前記カードの挿抜方向に沿って複数設けられていることを特徴としている。
【０００６】
上記コネクタにおいて、前記弾性部材は、前記コネクタへ前記カードを挿入する方向に延び、その先端が自由端とされている。
【０００７】
上記コネクタにおいて。前記弾性部材は、前記カードの挿抜方向に沿って複数並列に形成されている。
【０００８】
上記コネクタにおいて、前記弾性部材は、前記カードの挿抜方向に沿って並列に２つ形成されており、一方の弾性部材は、前記ピンの略真上に配置されており、他方の弾性部材は、前記一方の弾性部材に接近するように前記カードの挿抜方向と交差する方向に張り出して前記ピンの略真上に配置される張り出し部分を有する。
【０００９】
上記コネクタにおいて、前記他方の弾性部材の張り出し部分に、前記コネクタから前記カードを抜く方向に延び、その先端が自由端とされている、誘い込み部を設けている。
【００１０】
上記コネクタにおいて、前記他方の弾性部材の張り出し部分は、前記カードの挿抜方向と直交する方向において前記カムの溝の広がりをカバーするのに十分とされている。
【００１１】
上記コネクタにおいて、前記弾性部材は、前記カード用コネクタの外部を覆う金属カバーの一部を加工することによって形成されている。
【００１２】
上記コネクタにおいて、前記ピンの所定部は、少なくとも、前記循環カムによって前記カードがロックされているロック位置、或いは、前記ロックが解除され前記カードを抜き出す抜出位置において、前記循環カムの溝に向かって押さえつけられるものであってもよい。
また、上記コネクタにおいて、前記ピンの所定部は、前記カードの挿抜方向における前記ピンの先端部である。
【発明を実施するための最良の形態】
【００１３】
図１乃至図４に、本発明の好ましい一実施形態によるイジェクト機構付きカード用コネクタを示す。このコネクタは、カード自体を押圧することでイジェクト機構を操作して該カードを自由に挿抜することができる、いわゆるプッシュ・プッシュ型のイジェクト機構を有する。
【００１４】
図１は、本発明によるコネクタの斜視図である。図２は、このコネクタからカバーを取り除いた状態を示す斜視図、図３は、このコネクタの分解斜視図である。また、図４は、カード挿入時におけるコネクタの内部状態を示した上面図である。尚、カード３としては、例えば、ｍｉｎｉＳＤやｍｉｃｒｏＳＤを使用することができ、ここでは一例として、ｍｉｃｒｏＳＤを使用するものとした。
【００１５】
コネクタ１は、主に、樹脂等の絶縁材で製造されたハウジング１０と、このハウジング１０に収容される端子２０、イジェクター５０、ピン６０、スプリング７０、更に、ハウジング１０の上部を覆う金属製のカバー３０から成る。所要部品をハウジング１０に組み込んだ後、カバー３０で上部に蓋をすることにより、後方のカード挿入側のみが実質的に開放状態とされたコネクタが形成される。ハウジング１０とカバー３０は、例えば、ハウジング１０の穴１１にカバー３０の側壁に設けた圧入部３１を圧入すること等によって固定することができる。
【００１６】
ハウジング１０の前面に端子２０を配列させる端子固定穴１４が複数並列に設けられている。端子２０は、ハウジング１０の前側から組み込まれ、それらの各端部において端子固定穴１４に圧入固定される。カード３がコネクタ１に挿入されたとき、端子２０は、それらの先端部付近に形成された湾曲した端子接点２２において、カード３の底面側に設けた対応する端子部（図示されていない）とそれぞれ接触し得る。端子接点２２は、これらの接触状態に応答して、端子溝２４を通じて所定量だけ下方に弾性変位され得る。
【００１７】
ハウジング１０の後方内部に金属製のイジェクター５０が設けられている。イジェクター５０は、カード３が上部に載置された状態で、カードの挿抜方向に沿ってハウジング１０内をスライド移動し得る。イジェクター５０は、例えば、図４のａ）に示す位置（抜出位置）と図４のｂ）に示す位置（ロック位置）を経由して移動する。図４のａ）は、カード３をイジェクター５０に単に載せた状態、或いは、カード３をハウジング１０から抜き出す直前の状態を示し、このときカード３と端子２０の接触は解除された状態にある。一方、図４のｂ）は、カード３をハウジング１０内に力を加えて押し込んだ後に抜力して若干戻り、所定位置にロックした状態を示し、このときカード３と端子２０は接触された状態にある。
【００１８】
イジェクター５０は、カード３の挿抜方向と直交する方向において、ハウジング１０の幅方向にわたって拡張された板状態とされている。イジェクター５０は、ハウジング１０の少なくとも一方の内壁１８に当接し、また、ハウジング１０の底面２１から多少浮いた状態で支持される。イジェクター５０の幅方向における両側に、ハウジング１０の底面２１に対して垂直方向に伸びる側部、即ち、カード当接部５９と側壁５１が形成されている。側壁５１は、コネクタ１の前方に進むに従って狭幅となるように、カード当接部５９の側に向かって変位されており、水平方向（幅方向）において弾性変形可能である。該側壁５１の内壁１８側には凸状のリブが設けられており、イジェクター５０のスライド移動を円滑に保つ。カード３がイジェクター５０に載置されたとき、カード３はカード当接部５９と側壁５１の間に位置付けられ、側壁５１の働きによってそれらの間に狭持される。この狭持構造は、カードの飛び出し防止効果を向上させる。
【００１９】
ハウジング１０内におけるイジェクター５０の後方への移動やハウジング１０内からのイジェクター５０の抜け落ちは、イジェクター５０の幅方向における一方の側に設けた側壁の後端面５５とハウジング１０の幅方向における一方の側の内方突出面１６とを当接させること、及び、ピン６０のカム溝６６内への係合によって規制される。一方、ハウジング１０内におけるイジェクター５０の前方への移動は、イジェクター５０の幅方向における他方の側の中央付近にて側方に突出したスプリング当接部５８とハウジング１０の幅方向における他方の側に設けたスプリング７０の後面とを当接させること、及び、ピン６０のカム溝６６内への係合によって規制される。スプリング７０の前面は、スプリング７０の内部に支持棒１９を挿入した状態で、ハウジング１０の前側内壁１５に当接される。スプリング７０によって発生された弾力をスプリング当接部５８で受けることにより、イジェクター５０には、常に、ハウジング１０の後方に向かって、つまり、コネクタからカード３を抜き出す方向に力が加えられる。
【００２０】
コネクタ１へカード３を挿入したとき、カード３はその略中央付近でイジェクター５０に位置決めされ且つ係合される。位置決めを行うため、カード３の幅方向における一方の側に、前側から後方に向かって幅広とした傾斜面２５を形成し、これに対応して、イジェクター５０のカード当接部５９を傾斜面としてある。位置決めと同時に係合させるため、カード３の傾斜面２５よりも更にカード挿入側に近い側に、幅方向において内側に引っ込んだ凹部２６を形成し、これに対応して、イジェクター５０に、この凹部２６に係合されるカード係合部５６を設けている。尚、カード係合部５６は、例えば、イジェクター５０の幅方向における一方の側の底板を垂直に起き上がらせ、その頂部を折り曲げることによって、後方から前方に向かって急勾配を有する略垂直三角形状に形成されており、イジェクター５０の底面の下方に引っ込み可能な状態で弾性突出している。
【００２１】
コネクタ１へカード３を挿入したとき、カード３の傾斜側面２５は、カード係合部５６を下方に弾性変位させつつハウジング１０の内部へ進み、次いで、凹部２６がカード係合部５６の位置に達したときに、カード係合部５６は弾性変位前の位置に戻って凹部２６にパチンと嵌まる。このとき、側壁５１の弾性によってカード３の傾斜側面２５とカード当接部５９は当接状態にあり、したがって、カード３はイジェクター５０に軽く係合されるとともに位置決めされる。カード係合部５６によるこのカード３の係合は、カード３をコネクタ１の後方側へ所定の力で引き離すように引っ張ることによって簡単に解除できる。係合がより有効に働くように、言い換えれば、カード係合部５６の変位がよりスムーズに行われるように、カード係合部５６の横側にイジェクター５０のスライド方向に沿って補強用の切り込み５４を設け、カード係合部５６がその周辺部分を含めて変位されるようにしてもよい。
【００２２】
カード係合部５６によるカードの係合は、カード３をコネクタ１から取り出す際のカードの飛び出しを防止するためにも有効である。従来、カードの飛び出しは、例えば、カバーに設けたカード押さえばねによって、片側、つまり、上方位置からカードを下方に押さえ込むことによって防止されていた。コネクタ１にも、従来と同様の押さえばね４０が設けてある。これらの押さえばね４０は、例えば、カバー３０の上板の一部に切り込みを入れることによって形成された、コネクタ１へカード３を挿入する方向に延びる自由端を、コネクタ１の前方に向かって下側に傾斜するように折り曲げ、加工することによって形成できる。しかしながら、例えば、スプリング７０の力が強すぎる場合には、押さえばね４０や上述した係止機構によっては、カードの飛び出しを完全には防止することができない。カードの飛び出しをより確実に防止するように力を調整する必要がある。ここでは、弾性片として形成した飛び出し防止ばね５２をイジェクター５０の底面から突出状態で設け、これに対応して、飛び出し防止ばね５２の弾性部分、特にその先端部５３付近における変位を許容し、解放状態とする逃げ空間（１２）をハウジング１０の底面２１に設けることによって、そのような力の調整を可能としている。
【００２３】
図５、図６を参照して、これら飛び出し防止ばね５２と逃げ空間（１２）の働きを説明する。ここで、図５のａ）は、図４のａ）の概略Ａ−Ａ線断面図、図５のｂ）は、図４のｂ）の概略Ｂ−Ｂ銭断面図である。ただし、これらの図にカードは示していない。図６のａ）、ｂ）は、単に、図５のａ）、ｂ）に示す構造の従来技術に相当する。
【００２４】
飛び出し防止ばね５２は、例えば、イジェクター５０の幅方向に沿って２つ並んだ状態で設けられていてもよく、例えば、イジェクター５０の底板の一部に切り込みを入れることによって形成された、コネクタ１へカード３を挿入する方向に延びる自由端を、コネクタ１の前方に向かって下方に傾斜するように折り曲げ、加工することによって形成できる。結果的に、飛び出し防止ばね５２は、イジェクター５０の底面から突出し得る。尚、飛び出し防止ばね５２の先端付近は、押さえ込み作用を強化するため、多少幅広く形成されていてもよく、また、それらの先端部５３はスライド時にイジェクター５０の底板を傷つけないよう上方に多少傾斜されていてもよい。
【００２５】
飛び出し防止ばね５２の一部、例えば、その先端部５３を、イジェクター５０の底面から飛び出すように形成したことにより、この先端部５３付近における変位が逃げ空間（１２）によって許容され解放状態とされている場合を除き、飛び出し防止ばね５２は、ハウジング１０の底面２１に常時当接され、押し付けられた状態となる。例えば、イジェクター５０がカードの抜出方向に向かってハウジング１０内をスライドして、先端部５３が前記逃げ空間から離脱しているとき、このような状態となる。この結果、イジェクター５０のスライドを適度に抑制し、異常なカードの飛び出しを効果的に防止することができる。尚、飛び出し防止ばね５２が設けられているのは、カバー３０ではなくイジェクター５０であり、また、飛び出し防止ばね５２が押さえ込むのは、カード３ではなく、ハウジング１０の底面２１である点、注意すべきである。
【００２６】
飛び出し防止ばね５２の先端部５３付近における変位は、イジェクター５０を全体的にハウジング１０の底面２１から浮き上がった状態とし、その上に載置されるカード３をハウジング１０の上面２３に押圧するように、上方位置へと押し上げる働きも有する。このような飛び出し防止ばね５２による働きとは逆に、カバー３０に設けた押さえばね４０は、飛び出し防止ばね５２に対向してイジェクター５０側に突出配置された弾性片として形成されており、その弾性力によってカードを下方位置へと押し下げるものであるから、これら飛び出し防止ばね５２と押さえばね４０との協働作用によって、イジェクター５０とカバー３０の間において、カード３を上下方向にバランスよく、適度に且つ確実な力で保持することができる。これにより、カードの飛び出しをより確実に防止することができる。
【００２７】
飛び出し防止ばね５２に対応して、カード挿抜方向におけるハウジング１０の底面２１の対応位置に、飛び出し防止ばね５２の先端部５３を逃がすことができる逃げ空間、例えば、図示のような貫通穴１２を設けてもよい。これにより、カードを保持する際の荷重をより良くコントロールすることができる。先端部５３が貫通穴１２内にスムーズに導かれるよう、貫通穴１２に前方に向かって下方に傾斜する段差部１３を設けてもよい。尚、図６に示す従来例のように、片側、つまり、上方からのみ力を加えるものでは、カードを押さえつけるために比較的大きな力を要し、また、ハウジング１０内におけるカード３’の傾斜の度合いが、イジェクター５０を設けた図５におけるカード３よりも大きくなってしまうため、端子２０との接触状態等、カード３’に悪影響を与える危険がある。図５に示すように、イジェクター５０を設け、また、ハウジング１０の底面２１にイジェクター５０の飛び出し防止ばね５２の一部（５３）を逃がす貫通穴１２を設けることにより、上下の力のバランスを取り、嵌合時におけるカードの不適当な傾きを防止することもできる。
【００２８】
逃げ空間（１２）は、カード３をコネクタからイジェクトする際の、カードの飛び出しを防止するのにも有効である。なぜなら、例えば、スプリング７０の作用によって、図４のｂ）や図５のｂ）に示す状態から図４のａ）や図５のａ）に示す状態とする際、換言すれば、カード３を載置したイジェクター５０がコネクタ１からカード３を抜く方向に移動するとき、イジェクター５０の飛び出し防止ばね５２が、特にその先端部５３の後面側において、貫通穴１２の後方側面１７と衝突するため、スプリング７０による初期の比較的大きな力を大幅に軽減させることができるからである。この衝突後に、先端部５３が後方側面１７を乗り越えた後も、飛び出し防止ばね５２はハウジング１０の底面２１に常時押し付けられた状態とされていることから、その後も、適度にスプリング７０による力を抑制することができる。尚、上に説明したように、カード３は、イジェクター５０上で、側壁５１やカード当接部５９によってその幅方向において保持されていることから、逃げ空間等を利用した上下方向における保持と相まって、カードの飛び出しをより効果的に防止することができる。
【００２９】
イジェクター５０の側面前方に、イジェクター５０の幅方向における一方の側に突出させた状態で、ピン固定穴４８を設けている。ピン６０は、このピン固定穴４８に、そのイジェクター固定部６２を引っ掛けた状態で軽く係止される。ピン６０はイジェクター５０に係止されているから、イジェクター５０に連動してハウジング１０内を前後に移動し、この結果、ピン６０の先端部を直交方向に延ばして設けたハートカム係止部６１は、カードの挿抜方向沿いに形成されたハートカム機構６４のカム溝６６の上を摺動する。カム溝６６は、中央のハート型島部６７の周囲にハート上に形成されている。ハートカム機構自体の構造は、従来一般に使用されているものと同じであるからここでは詳説しない。ハートカム機構の詳細は、例えば、上に挙げた特開２００１−２９１５５３号等にも説明されている。
【００３０】
カム溝６６の上を摺動するピン６０の浮き上がりを防止してピン６０をカム溝の上に保持し、その動作をコントロールするため、カバー３０の一部を加工することによって第１押さえばね３２、第２押さえばね３４を形成している。これら第１押さえばね３２、第２押さえばね３４は、それぞれ、例えば、カバー３０の上板に切り込みを入れることによって形成された、コネクタ１へカード３を挿入する方向に延びる自由端を、コネクタ１の前方に向かって下方に傾斜させるように折り曲げ、加工することによって形成できる。
【００３１】
図７、図８を参照して、ハートカム機構６４におけるピン６０の動きを第１押さえばね３２や第２押さえばね３４の働きとともに説明する。図７のａ）乃至ｄ）は、カムの周辺機構を示す概略上面図であり、図８のａ）乃至ｄ）は、これらに対応する概略横面図である。
【００３２】
ここで、図７のａ）や図８のａ）は、図４のａ）に対応し、カード３をハウジング１０内に力を加えて押し込む前の、カード３をイジェクター５０に単に載せた状態、或いは、ハートカム機構６４によるロックが解除され、カード３をハウジング１０から抜き出す直前の状態（このとき、ピン６０は「抜出位置」にある）を示している。一方、図７のｂ）や図８のｂ）は、ピン６０を、図７のａ）、図８のａ）に示す状態から図７のｃ）、図８のｃ）に示す状態とするために、ピン６０がコネクタ１内に押し込まれたときの状態を示す図である。また、図７のｃ）や図８のｃ）は、図４のｂ）に対応し、カード３をハウジング１０内に力を加えて押し込んだ後抜力し、ハートカム機構６４によってカード３をロックした状態（このとき、ピン６０は「ロック位置」にある）を示す図であり、図７のｄ）や図８のｄ）は、ピン６０を、図７のｃ）、図８のｃ）に示す状態から図７のａ）、図８のａ）に示す状態としてコネクタ１の外部に取り出すために、ピン６０がコネクタ１内に押し込まれた状態を示す図である。
【００３３】
第１押さえばね３２や第２押さえばね３４は、ピン６０の上部において、ピン６０の移動方向沿いに、換言すれば、コネクタへのカードの挿抜方向沿いに、並列に配置される。並列に配置されているにもかかわらず、第２押さえばね３４を第１押さえばね３２よりもコネクタ１の前方に位置付け、且つ、第２押さえばね３４の先端付近を幅広に形成することにより、更に言えば、第２押さえばね３４の先端の一部（３６）を、第１押さえばね３２に接近するようにカードの挿抜方向と交差する方向、例えば、直交する方向に張り出させて幅広とすることにより、第１押さえばね３２をピン６０の略真上に配置するとともに、第２押さえばね３４の一部もピン６０の略真上に配置させることができ、これにより、ピン６０の上部に、カードの挿抜方向沿いに、また、ピン６０の移動方向において、第１押さえばね３２と第２押さえばね３４とが重なる部分を形成している。このような配置によって、ピン６０を、カードの挿抜方向に沿って、２つのばねによって上方から２箇所で押さえることができる。２箇所で押さえることにより、たとえピン６０が移動した場合であっても、ピン６０の長さをストローク分とせずに、ピン６０の先端部付近を、第１押さえばね３２と第２押さえばね３４のいずれか、或いは、双方によって、常に安定的に下方に押さえつけることができ、特に重要な状態と考えられるロック状態と解放状態のそれぞれにおいてピン６０の先端部付近をハートカム溝に向けて押圧することができるので、ピン６０のハートカム係止部６１における上方への浮き上がりを効果的に防止することができる。また、上述したように、第２押さえばね３４の先端は、張出部３６によって幅広とされているため、カードの挿抜方向と直交する方向においてハートカム機構６４のカム溝６６の広がりをカバーするのに十分な大きさとなっており、この結果、ピン６０の幅方向における移動を十分にカバーすることができる。尚、ピン６０の誘い込みを容易にするため、第２押さえばね３４の先端に設けた張出部３６に、張出部３６の一部をコネクタ１の後方に向かって二股に分割することによって誘い込み部３８を形成してもよい。誘い込み部３８は、張出部３６からコネクタからカードを抜く方向に延ばした自由端として形成されている。また、２つのばねは常に２箇所を押さえている必要はなく、好ましくは係止位置のピンのハートカム係止部近傍をそれぞれのばねが押さえる位置にある。
【００３４】
次に、第１押さえばね３２、第２押さえばね３４によるピン６０の押さえ動作を図面を参照しながらより詳細に説明する。
【００３５】
図７のａ）や図８のａ）によく示されているように、カード３をイジェクター５０に単に載せた状態、或いは、カード３をハウジング１０から抜き出す直前の状態において、第１押さえばね３２、特にその先端部３３は、ピン６０の先端部、つまりハートカム係止部６１付近の上方に配置される。したがって、ハートカム係止部６１の浮き上がりは第１押さえばね３２によって完全に防止され得る。このとき、ハートカム係止部６１の端部７２は、カム溝６６の傾斜６８において低い位置にある。
【００３６】
ピン６０の移動に伴って、ａ）の状態からｂ）の状態とされる際、ピン６０の第１押さえばね３２に押さえられる位置はハートカム係止部６１の近傍からピン固定片４８側に徐々に移動し、ハートカム係止部６１の上方は誘い込み部３８の先端部３７下側に誘い込まれ、張出部３６下側へ案内される。したがって、この場合も、ハートカム係止部６１の浮き上がりは第２押さえばね３４によって完全に防止される。このとき、ハートカム係止部６１の端部７２は、カム溝６６の傾斜６８に沿って上方へと多少移動する。
【００３７】
その後、ハートカム機構６４の働きによって、ピン６０はコネクタ１の後方へ多少移動し、ｂ）の状態からｃ）の状態、つまり、ハートカム機構６４によるロック状態となる。このとき、ハートカム係止部６１の上方は張出部３６の下側に配置されたままであり、したがって、この場合も、ハートカム係止部６１の浮き上がりは第２押さえばね３４によって完全に防止される。このとき、ハートカム係止部６１の端部７２は、カム溝６６の傾斜６８に沿って低い位置にある。
【００３８】
ハートカム機構６４によるロックを解除する際、言い換えれば、ｃ）に示す状態からｄ）に示す状態とする際、ピン６０は再びコネクタの前方に進められる。このとき、ハートカム係止部６１付近は張出部３６の下側に配置されたままであり、したがって、この場合も、ハートカム係止部６１の浮き上がりは第２押さえばね３４によって完全に防止される。このとき、ハートカム係止部６１の端部７２は、カム溝６６の傾斜６８に沿って低い位置にある。
【００３９】
更に、ｄ）の状態からａ）の状態に再び戻るとき、ハートカム係止部６１は張出部３６の下側から第１押さえばね３２の下側へ案内される。したがって、この場合も、ハートカム係止部６１の浮き上がりは第１押さえばね３２によって完全に防止される。尚、ハートカム係止部６１が、張出部３６の下側から第１押さえばね３２の下側へ案内される際や、逆に、第１押さえばね３２の下側から張出部３６の下側へ案内される際にも、ハートカム係止部６１を確実に押さえることができるように、第１押さえばね３２の３３と、第２押さえばね３４の張出部３６との間にカードの挿抜方向と直交する方向に張り出すように、例えば、カバー３０の一部を加工することによって形成したピン抜け防止リブ４３を設けてもよい。
【００４０】
以上の構成によれば、ピン６０がたとえ移動しても、常にピン６０をカム溝６６に向かって押さえつけることができ、その浮き上がりを防止することができる。ここでは、ピン６０の長さをそれほど長くすることなく（ストローク分ほど長くすることなく）、常に安定した状態でピン６０を押さえつけることができる。
【００４１】
尚、上の実施例では、押さえばねを２つ設けた例を説明したが、このような押さえばねを３つ以上設けてもよいことは勿論である。また、押さえばねは対向して延びる様に直列的に設けてもよい。本願発明はこのような変形例を全て含むものである。
【産業上の利用可能性】
【００４２】
本発明は、イジェクト機構付きカード用コネクタに幅広く適用することができる。
【図面の簡単な説明】
【００４３】
【図１】本発明によるコネクタの斜視図である。
【図２】図１のコネクタからカバーを取り除いた状態を示す斜視図である。
【図３】図１のコネクタの分解斜視図である。
【図４】カード挿入時におけるコネクタの内部状態を示した上面図である。
【図５】図４の概略断面図である。
【図６】図５に示す構造の従来技術を示す図である。
【図７】カムの周辺機構を示す概略上面図である。
【図８】図７に対応する概略横面図である。
【符号の説明】
【００４４】
１    コネクタ
３    カード
１０  絶縁ハウジング
１１  穴
１２  貫通穴
１３  段差部
１４  端子固定穴
１５  前側内壁
１６  内方突出面
１７  後方側面
１８  内壁
１９  支持棒
２０  端子
２２  端子接点
２４  端子溝
２５  傾斜側面
２６  凹部
３０  カバー
３１  圧入部
３２  第１押さえばね
３３  先端部
３４  第２押さえばね
３６  張出部
３７  先端部
３８  誘い込み部
４０  押さえばね
４３  ピン抜け防止リブ
４８  ピン固定穴
５０  イジェクター
５１  側壁
５２  飛び出し防止ばね
５３  先端部
５４  補強用切込み部
５５  後端面
５６  カード係合部
５８  スプリング当接部
５９  カード当接部
６０  ピン
６１  ハートカム係止部
６２  イジェクター固定部
６４  ハートカム機構
６６  カム溝
６７  ハート型島部
６８  傾斜
７０  スプリング
７２  端部
【図１】
2007012550.tif 000003
【図２】
2007012550.tif 000004
【図３】
2007012550.tif 000005
【図４】
2007012550.tif 000006
【図５】
2007012550.tif 000007
【図６】
2007012550.tif 000008
【図７】
2007012550.tif 000009
【図８】
2007012550.tif 000010